(57)【要約】【課題】接着剤を使用しないで特定の接続用のリングを使用することにより、挿し口を確実に抜止めして回動自在に受け口に接続できる接続構造と、その特定のリングを提供する。【解決手段】受け口１の内面と受け口に挿入された挿し口２の外面との間にリング３を挿入し、リング外面に形成した係合部３ｂを受け口内面に形成した被係合部１ａに対してリング引抜き方向に係合させると共に、挿し口外面に形成した係合部２ａをリング内面又はリング挿入方向先端に形成した被係合部３ｈに対して挿し口引抜き方向に係合させた接続構造とする。係合部３ｂと被係合部１ａの係合、及び、係合部２ａと被係合部３ｈの係合によって挿し口２を抜止めし、接着しないことで回動自在に受け口１に接続する。リング３は外面に係合部３ｂが形成され、内面又はリング挿入方向先端に被係合部３ｈが形成されたものとする。【選択図】図３
2011137504.tif 000002
【特許請求の範囲】
【請求項１】
受け口の内面と受け口に挿入された挿し口の外面との間にリングを挿入して受け口と挿し口を接続した構造であって、
リング外面に形成した係合部を受け口内面に形成した被係合部に対してリング引抜き方向に係合させると共に、挿し口外面に形成した係合部をリング内面又はリング挿入方向先端に形成した被係合部に対して挿し口引抜き方向に係合させたことを特徴とする、受け口と挿し口の接続構造。
【請求項２】
受け口内面には半周以下の円弧長を有する被係合部が形成されると共に、被係合部の側端には被係止部が形成されており、
リング外面にはリング挿入時に受け口内面の被係合部を通過させる通過用凹部が、また、リング外面の係合部からリング引抜き方向側にはリングを一方向に回転させたとき受け口内面の被係合部が収容される収容部が、また、リングの上記通過用凹部と上記収容部との間には受け口内面の被係合部の側端の被係止部に係止してリングの反対方向の回転を阻止する係止部が、それぞれ形成されており、
リング挿入時に上記通過用凹部を通過させた受け口内面の被係合部を、一方向にリングを回転させることにより上記収容部に収容して、リング外面の係合部を受け口内面の被係合部にリング引抜き方向に係合させると共に、上記係止部を上記被係止部に係止又は近接させたことを特徴とする請求項１に記載の接続構造。
【請求項３】
リング外面の上記収容部よりもリング挿入方向側に、リングを一方向に回転させるときに受け口内面の被係合部に当たってリングの誤回転を防止する誤回転防止部を形成したことを特徴とする請求項２に記載の接続構造。
【請求項４】
リングのリング引抜き方向先端に、リングを回転させるための取手部を形成したことを特徴とする請求項１ないし請求項３のいずれかに記載の接続構造。
【請求項５】
リングの取手部を受け口から突出させたことを特徴とする請求項４に記載の接続構造。
【請求項６】
受け口の内面と受け口に挿入された挿し口の外面との間に挿入されて受け口と挿し口を接続するリングであって、
リング外面に、受け口内面の被係合部に対してリング引抜き方向に係合する係合部を形成すると共に、リング内面又はリング挿入方向先端に、挿し口外面の係合部が挿し口引抜き方向に係合する被係合部を形成したことを特徴とするリング。
【請求項７】
受け口内面に形成された半周以下の円弧長を有する被係合部がリング挿入時に通過する通過用凹部をリング外面に形成し、リングを一方向に回転させたとき受け口内面の被係合部が収容される収容部をリング外面の係合部からリング引抜き方向側に形成し、受け口内面の被係合部の側端の被係止部に係止してリングの反対方向の回転を阻止する係止部を上記通過用凹部と上記収容部との間に形成したことを特徴とする請求項６に記載のリング。
【請求項８】
リング外面の上記収容部よりもリング挿入方向側に、リングを一方向に回転させるときに受け口内面の被係合部に当たってリングの誤回転を防止する誤回転防止部を形成したことを特徴とする請求項７に記載のリング。
【請求項９】
リングのリング引抜き方向先端に、リングを回転させるための取手部を、リングを挿入したとき受け口から突出するように形成したことを特徴とする請求項６ないし請求項８のいずれかに記載のリング。
【発明の詳細な説明】
【技術分野】
【０００１】
本発明は、受け口と挿し口の接続構造、並びに、これに用いるリングに関し、更に詳しくは、受け口の内面と受け口に挿入された挿し口の外面との間に特定のリングを挿入して、リングを接着剤で受け口に接着することなく、受け口と挿し口を簡単且つ確実に接続できるように工夫した接続構造と、その特定のリングに関する。
【背景技術】
【０００２】
従来より、トラップ桝の分野では、Ｕトラップ一端の挿し口と桝本体の受け口との接続構造として、Ｕトラップ一端の挿し口の外周に上側ブッシュを接着して挿し口を桝本体の受け口に挿入すると共に、挿し口の外周面と受け口の内周面との隙間にＯリングと下側ブッシュを挿入して、下側ブッシュを受け口の内周面に接着剤で接着し、挿し口の上側ブッシュをＯリングを挟んで下側ブッシュで支持させる接続構造が知られている（特許文献１）。
【０００３】
上記の接続構造を採用すると、Ｕトラップ一端の挿し口が桝本体の受け口に接着されないため、Ｕトラップを回動自在に接続することができ、しかも、挿し口外周の上側ブッシュがＯリングを介して下側ブッシュで支持されるため、Ｕトラップの挿し口が桝本体の受け口から抜け落ちることがなく、水密性も確保することができる。
【先行技術文献】
【特許文献】
【０００４】
【特許文献１】実開昭６３−１２１６７３号公報
【発明の概要】
【発明が解決しようとする課題】
【０００５】
しかしながら、上記特許文献１の接続構造では、Ｕトラップの挿し口の外周面と桝本体の受け口の内周面との隙間に挿入した下側ブッシュを接着剤で受け口の内周面に接着固定するため、接着剤が受け口の奥の方まで回り込むと、Ｕトラップの挿し口が桝本体の受け口に接着固定されて、Ｕトラップが回動不能になる虞れがあった。特に、下側ブッシュの接着作業はある程度の熟練を要し、未熟な者が接着作業を行うと、接着剤の塗布量が過剰になって上記のようにＵトラップの挿し口が桝本体の受け口に回動不能に接着されたり、逆に、接着剤の塗布量が少な過ぎて下側ブッシュの接着不良によりＵトラップが抜け落ちることがあった。
【０００６】
本発明は上記事情の下になされたもので、その解決しようとする課題は、接着剤を使用しないで特定の接続用のリングを使用することにより、挿し口を確実に抜止めして回動自在に受け口に接続することができる接続構造と、その特定のリングを提供することにある。
【課題を解決するための手段】
【０００７】
上記課題を解決するため、本発明に係る受け口と挿し口の接続構造は、受け口の内面と受け口に挿入された挿し口の外面との間にリングを挿入して受け口と挿し口を接続した構造であって、リング外面に形成した係合部を受け口内面に形成した被係合部に対してリング引抜き方向に係合させると共に、挿し口外面に形成した係合部をリング内面又はリング挿入方向先端に形成した被係合部に対して挿し口引抜き方向に係合させたことを特徴とするものである。
【０００８】
本発明の受け口と挿し口の接続構造は、以下のような具体的構成とすることが好ましい。
即ち、請求項２のように、受け口内面に半周以下の円弧長を有する被係合部が形成されると共に、被係合部の側端には被係止部が形成されており、
リング外面にはリング挿入時に受け口内面の被係合部を通過させる通過用凹部が、また、リング外面の係合部からリング引抜き方向側にはリングを一方向に回転させたとき受け口内面の被係合部が収容される収容部が、また、リングの上記通過用凹部と上記収容部との間には受け口内面の被係合部の側端の被係止部に係止してリングの反対方向の回転を阻止する係止部が、それぞれ形成されており、
リング挿入時に上記通過用凹部を通過させた受け口内面の被係合部を、一方向にリングを回転させることにより上記収容部に収容して、リング外面の係合部を受け口内面の被係合部にリング引抜き方向に係合させると共に、上記係止部を上記被係止部に係止又は近接させた構成とすることが好ましい。
【０００９】
そして、請求項３のように、リング外面の上記収容部よりもリング挿入方向側に、リングを一方向に回転させるときに受け口内面の被係合部に当たってリングの誤回転を防止する誤回転防止部を形成し、請求項４のように、リングのリング引抜き方向先端に、リングを回転させるための取手部を形成し、請求項５のように、リングの取手部を受け口から突出させることが好ましい。
【００１０】
一方、本発明に係るリングは、受け口の内面と受け口に挿入された挿し口の外面との間に挿入されて受け口と挿し口を接続するリングであって、リング外面に、受け口内面の被係合部に対してリング引抜き方向に係合する係合部を形成すると共に、リング内面又はリング挿入方向先端に、挿し口外面の係合部が挿し口引抜き方向に係合する被係合部を形成したことを特徴とするものである。
【００１１】
本発明のリングでは、以下のような具体的構成とすることが好ましい。
即ち、請求項７のように、受け口内面に形成された半周以下の円弧長を有する被係合部がリング挿入時に通過する通過用凹部をリング外面に形成し、リングを一方向に回転させたとき受け口内面の被係合部が収容される収容部をリング外面の係合部からリング引抜き方向側に形成し、受け口内面の被係合部の側端の被係止部に係止してリングの反対方向の回転を阻止する係止部を上記通過用凹部と上記収容部との間に形成した構成とすることが好ましい。
【００１２】
そして、請求項８のように、リング外面の上記収容部よりもリング挿入方向側に、リングを一方向に回転させるときに受け口内面の被係合部に当たってリングの誤回転を防止する誤回転防止部を形成し、請求項９のように、リングのリング引抜き方向先端に、リングを回転させるための取手部を、リングを挿入したとき受け口から突出するように形成することが好ましい。
【発明の効果】
【００１３】
本発明に係る受け口と挿し口の接続構造では、リング外面の係合部を受け口内面の被係合部に対してリング引抜き方向に係合させているので、リングが受け口から抜け出すことはなく、かつ、挿し口外面の係合部をリング内面又はリング挿入方向先端の被係合部に対して挿し口引抜き方向に係合させているので、挿し口がリングから抜け出すこともない。そして、受け口とリングと挿し口は互いに接着剤で接着されていないので、互いに回動自在である。従って、本発明の接続構造によれば、挿し口を確実に抜止めして回動自在に受け口に接続することができる。
【００１４】
また、請求項２のように構成した本発明の接続構造では、受け口と挿し口の間にリングを挿入して一方向に回転させるだけの極く簡単な作業で、熟練者でなくても挿し口を回転自在に受け口に接続することができ、しかも、接続後はリングの係止部が受け口内面の被係合部側端の被係止部に係止又は近接してリングの反対方向の回転が阻止され、リング外面の係合部と受け口内面の被係合部との係合が外れる心配がないので、挿し口を確実に抜止めすることができる。
【００１５】
そして、請求項３のようにリング外面の上記収容部よりもリング挿入方向側に誤回転防止部が形成されていると、例えば、受け口と挿し口との間に異物が挟まれていてリングを奥まで挿入できない場合、リングを一方向に回転させようとしても、リングの誤回転防止部が受け口内面の被係合部に当たってリングが回転しなくなるため、受け口と挿し口の間に異物を残したままリングを誤って回転させる心配を解消することができる。
【００１６】
更に、請求項４のようにリングのリング引抜き方向先端にリングを回転させるための取手部が形成されていると、この取手部を掴んでリングを簡単に回転させることができ、特に、請求項５のようにリングの取手部が受け口から突出していると、取手部を掴み易くなるのでリングの回転作業を一層容易に行えるようになる。
【００１７】
また、本発明のリングは、上記のように受け口と挿し口の間に挿入することによって、簡単かつ確実に挿し口を抜止めして回動自在に受け口に接続することができ、更に、請求項７，８，９のように構成したリングは、上記請求項２，３，４，５の接続構造について説明した作用効果と同様の作用効果を奏することができる。
【図面の簡単な説明】
【００１８】
【図１】本発明の一実施形態に係る受け口と挿し口の接続構造を示す断面図である。
【図２】受け口と挿し口の間に挿入したリングを回転させる前の同接続構造の拡大断面図である。
【図３】受け口と挿し口の間に挿入したリングを一方向に回転させた同接続構造の拡大断面図である。
【図４】受け口と挿し口の間に挿入したリングを回転させる前の同接続構造の底面図である。
【図５】受け口と挿し口の間に挿入したリングを一方向に回転させた同接続構造の拡大断面図である。
【図６】本発明の一実施形態に係るリングを示すもので、（ａ）はその平面図、（ｂ）はその側面図、（ｃ）はその底面図である。
【図７】同リングと受け口の斜視図である。
【発明を実施するための形態】
【００１９】
図１は、本発明に係る受け口と挿し口の接続構造をＵトラップ桝の桝本体１１の受け口１とＵトラップ１２の一端の挿し口２との接続部分に適用した場合を例示したものであって、受け口１の内面とこの受け口１に挿入された挿し口２の外面との間には、本発明のリング３が挿入されている。
【００２０】
桝本体１１は塩化ビニル樹脂などの熱可塑性樹脂で射出成形されたものであって、この桝本体１１の受け口１の内面には、図４，図５，図７に示すように、受け口１の内周の略１／９の円弧長を有する円弧状の被係合部１ａが等角度間隔をあけて３箇所に突設されており、これに対応して、リング３の外面には、図２，図４，図６，図７に示すように、受け口１と挿し口２との間にリング３を挿入したとき受け口１の上記被係合部１ａが通過できる通過用凹部３ａが、等角度間隔をあけて３箇所に凹設されている。それぞれの被係合部１ａの一方の側端面１ｂ（リング回転方向側の側端面）は、リング３の後述する係止部３ｄがリング回転方向と反対方向に係止する被係止部となっている。
【００２１】
そして、図３，図５，図７に示すように、挿入したリング３を矢印Ｘの方向に回転させたときに受け口１内面の上記被係合部１ａに対してリング引抜き方向に係合する係合部３ｂが等角度間隔をあけて３箇所に形成されており、それぞれの係合部３ｂからリング引抜き方向側（図では下側）には、リング３を矢印Ｘ方向に回転させたとき受け口１内面の上記被係合部１ａが収容される収容部３ｃが、等角度間隔をあけて３箇所に形成されている。これらの係合部３ｂと収容部３ｃは、リング３の引抜き方向側の肉厚を略半分にしてリング３の外面に段差を設けることより、その段差部を係合部３ｂとし、段差部より引抜き方向側の凹段部を収容部３ｃとしたものである。
【００２２】
また、収容部３ｃと通過用凹部３ａとの間には、リング３の反対方向の回転を阻止する係止部３ｄが形成されている。この係止部３ｄは、図５に示すように、収容部３ｃに収容された受け口内面の被係合部１ａの側端の被係止部１ｂ（被係合部１ａのリング回転方向側の側端面１ｂ）に対してリング回転方向と反対方向に係止することにより、リング３の回転方向Ｘと反対方向の回転を阻止するものであって、図６の（ｃ）に示すように、外側斜め方向に爪状に突き出して形成されている。そして、この係止部３ｄの先を切り欠くと共に、係止部３ｄの内面の肉を盗むことにより、爪状の係止部３ｄを内側方向に弾性変形し易くして、リング３をＸ方向に回転させたときに受け口１内面の被係合部１ａがこの係止部３ｄを比較的容易に乗り越えられるようにすると共に、リング３や受け口１の成形誤差を吸収して係止部３ｄを被係合部１ａの側端面１ｂ（被係止部）に確実に係止できるようにしている。
【００２３】
更に、リング外面の前記収容部３ｃよりもリング挿入方向側には、誤回転防止部３ｅとなる垂直当止面が形成されている。この垂直当止面からなる誤回転防止部３ｅは、受け口１とリング３との間に防水Ｏリングなどの異物が挟まっていてリング３を奥まで完全に挿入できない状態でＸ方向に回転させようとしたとき、被係合部１ａの前記側端面１ｂと反対側の側端面１ｃに当たることによってリング３の誤回転を防止し、異物の存否を直ちに判別できるようにしたものである。  
【００２４】
この実施形態では、リング外面の係合部３ｂ（段差部）のリング回転方向側の端部をリング挿入方向側（上側）に切り欠くことによって、誤回転防止部３ｅとなる垂直当止面を形成しているが、係合部３ｂの端部を切り欠かないで、前記通過用凹部３ａのリング回転方向と反対方向側の側面を誤回転防止部３ｅとしてもよい。また、誤回転防止部３ｅは、被係合部１ａの側端面１ｃに当止してリング３の誤回転を防止できるものであれば上記の垂直当止面等に限定されないが、例えば、リング３を強く回転させたときに受け口内面の被係合部１ａを収容部３ｃにガイドしてしまうような、リング引抜き方向かつリング３の回転方向Ｘと反対方向に向かって傾斜する緩やかな傾斜面からなる誤回転防止部などは誤回転を阻止し難いため、採用することができない。
【００２５】
図６，図７に示すように、リング３の引抜き方向先端（図６，図７では下端）には、リング３を回転させるための取手部３ｆが等角度間隔をあけて３箇所に形成されている。これらの取手部３ｆは、図１，図２，図３に示すように、桝本体１１の受け口１とＵトラップ１２の挿し口２との間にリング３を挿入したとき、受け口１から突き出すように形成されており、この取手部３ｆの突き出した部分を掴んでリング３を簡単に回転させることができるようになっている。
【００２６】
また、このリング３には、図６，図７に示すように開環部３ｇが形成されており、この開環部３ｇからリング３を弾性的に拡開して、Ｕトラップ１２の挿し口２がある方の端部に簡単に外嵌装着（仮装着）できるようになっている。
【００２７】
このリング３は桝本体１１と同様に塩化ビニル樹脂などの熱可塑性樹脂で射出成形されたものであるが、桝本体１１の受け口１の内面に接着剤で接着されないので、塩化ビニル樹脂製の桝本体１１の受け口１との接着性に劣るポリエチレンなどのオレフィン系樹脂で成形しても何ら不都合を生じることはない。
【００２８】
Ｕトラップ１２は、桝本体１１と同様に塩化ビニル樹脂などの熱可塑性樹脂で射出成形されたものであって、図１，図２，図３に示すように、桝本体１１の受け口１に挿入された挿し口２の先端部外周面には、鍔状の係合部２ａが形成されており、リング３の挿入方向先端面（図１〜図３では上端面）は、この鍔状の係合部２ａが挿し口引抜き方向に係合する被係合部３ｈとなっている。そして、この鍔状の係合部２ａの外周面には環状の溝部２ｂが形成されており、この溝部２ｂに嵌め込まれた防水Ｏリング４が受け口１の奥端部内周面に密着して水密性が確保されるようになっている。
【００２９】
なお、挿し口２の鍔状の係合部２ａよりも挿し口引抜き方向側の外周面に係合部を形成し、これに対応してリング３の内周面に形成した被係合部に挿し口外周面の該係合部を挿し口引抜き方向に係合させるように構成しても勿論よい。
【００３０】
この実施形態の受け口と挿し口の接続構造は、以下の簡単な作業によって挿し口を確実に抜止めして回動自在に受け口に接続できるものである。
まず、リング３を開環部３ｇで弾性的に拡開し、Ｕトラップ１２の挿し口２がある方の端部にリング３を外嵌して仮装着する。
そして、Ｕトラップ１２の挿し口２を桝本体１１の受け口１の奥まで挿入し、挿し口２の鍔状係合部２ａの環状溝部２ｂに嵌着した防水Ｏリング４を、受け口１の奥端部内周面に密着させる。
挿し口１の挿入が終わると、図２，図４に示すように、リング３の通過用凹部３ａと受け口１内面の被係合部１ａとの円周方向の位置を合わせて、被係合部１ａが通過用凹部３ａを通過できるようにし、リング３を受け口１の内面と挿し口２の外面との間に挿入する。このとき、防水Ｏリング４が環状溝部２ｂから外れて受け口１と挿し口２との間に挟まれているか否かを目で確認し、防水Ｏリング４が挟まれていれば、挿し口１を引き抜いて防水Ｏリング４を環状溝部２ｂに嵌め込み、挿し口２の挿入作業をやり直す。
リング３の挿入が終わると、受け口１から突き出すリング３の取手部３ｆを掴んで、図３，図５に示すようにリング３を矢印Ｘ方向に回転させる。このように回転させると、受け口内面の被係合部１ａがリング３の係止部３ｄを乗り越えてリング外面の収容部３ｃに収容されると共に、リング外面の係合部３ｂが受け口内面の被係合部１ａとリング引抜き方向に係合して、リング３が受け口１から抜け落ちることがなくなり、しかも、リング３の係止部３ｄが被係合部１ａの側端の被係止部１ｂに対してリング回転方向と反対方向に係止又は近接してリング３の反対方向の回転が阻止されるため、リング３の反対方向の回転によってリング外面の係合部３ｂと受け口内面の被係合部１ａとの係合が外れてリング３が抜け落ちる虞れもなくなる。そして、Ｕトラップ１２の挿し口２は、その鍔状の係合部２ａがリング３の挿入方向先端の被係止部（先端面）３ｈと挿し口引抜き方向に係合しているため、リング３から抜け落ちることがなく、且つ、この挿し口２はリング３に接着剤で接着されていないため、回動自在となっている。
従って、Ｕトラップ１２の挿し口２は、リング３を介して確実に抜止めされて回動自在に桝本体１１の受け口１に接続される。
【００３１】
ところで、防水Ｏリング４が環状溝２ｂから外れて受け口１と挿し口２の隙間に挟まれていることを、リング３を挿入する前に見逃した場合は、防水Ｏリング４が邪魔になって、リング３を受け口１と挿し口２の隙間の奥まで挿入することができず、その状態でリング３を矢印Ｘ方向に回転させようとしても、リング３の誤回転防止部３ｅが受け口内面の被係合部１ａの側端面１ｃに当たってリング３の回転が阻止されるため、防水Ｏリング４が受け口１と挿し口２の隙間に挟まっていることが直ちに判る。従って、挿し口１を引き抜いて防水Ｏリング４を環状溝部２ｂに嵌め込み、挿し口２の挿入作業をやり直すことができるので、防水Ｏリング４が環状溝２ｂから外れたまま受け口１と挿し口２の接続が完了してしまうことは皆無となり、漏水を確実に防止することができる。
【００３２】
以上の実施形態では、受け口１の内面に被係合部１ａを等角度間隔をあけて３箇所形成し、これに対応して、リング３の外面に通過用凹部３ａ、係合部３ｂ、収容部３ｃ、係止部３ｄ、誤回転防止部３ｅを等角度間隔をあけて３箇所づつ形成しているが、これらの各部は、等角度間隔をあけて２箇所又は４箇所以上形成してもよく、また、場合によっては、半周以下の円弧長を有する被係合部１ａを受け口１の内面に１箇所形成し、これに対応して、通過用凹部３ａ、係合部３ｂ、収容部３ｃ、係止部３ｄ、誤回転防止部３ｅをリング３の外面に１箇所づつ形成するようにしてもよい。
【００３３】
また、上記実施形態とは逆に、被係合部１ａをリング３の外面に形成し、これに対応して、通過用凹部３ａ、係合部３ｂ、収容部３ｃ、係止部３ｄ、誤回転防止部３ｅを受け口１の内面に形成するようにしてもよい。
更に、リング３を複数のパーツに分割したり、Ｕトラップ１２の挿し口２を脱着可能とする等、リング３の仮装着を容易にするための種々の設計変更を行うようにしてもよい。
尚、受け口１の内面に雌ネジをきり、リング３の外面に雄ネジをきって、受け口１にリング３を螺合させることも可能である。
【００３４】
以上、桝本体１１の受け口１にＵトラップ１２の挿し口２を接続する場合を例にとって、本発明の受け口と挿し口の接続構造とこれに用いるリングを説明したが、本発明の接続構造は言うまでもなく、あらゆる受け口と挿し口の接続に適用できるものである。
【符号の説明】
【００３５】
１    受け口
１ａ  受け口の内面の被係合部
１ｂ  被係合部の側端の被係止部
２    挿し口
２ａ  挿し口の外面の係合部
３    リング
３ａ  通過用凹部
３ｂ  リング外面の係合部
３ｃ  収容部
３ｄ  係止部
３ｆ  取手部
３ｇ  開環部
３ｈ  リングの被係合部
４    防水Ｏリング
１１  桝本体
１２  Ｕトラップ
【図１】
2011137504.tif 000003
【図２】
2011137504.tif 000004
【図３】
2011137504.tif 000005
【図４】
2011137504.tif 000006
【図５】
2011137504.tif 000007
【図６】
2011137504.tif 000008
【図７】
2011137504.tif 000009